(57)【要約】【課題】  両面画像読取装置において、装置の小型化・コストダウンを図るとともに、両面機構の着脱を可能とすること。【解決手段】  読取位置にて、原稿が擦れ違いながら読取動作を行うことで装置外形を小型化することができる。また、原稿長さによらず反転後の読取開始は常に同一可能となる。また反転後の原稿を機外へ逃がす必要がなくなり、オプション化が取り易い構成である。また両面読取の場合には、電子写真による両面記録に合わせて、裏面より読取るので、装置制御の簡略化、コストダウンを実現できる両面画像読取装置を提供する。【選択図】        図２
2006180257.tif 000002
【特許請求の範囲】
【請求項１】
シート状原稿を正逆方向に送給する搬送手段と、原稿排出手段とからなる原稿搬送機構と、シート状原稿を反転させる反転搬送手段とからなる原稿反転搬送機構と、読取位置を有する読取手段とを備える画像読取装置であって、
逆方向に向うシート状原稿を、読取位置を介して通過させ、反転搬送手段により反転させたシート状原稿の先端が、読取位置へ到達した時点より読取位置で片面読取の開始動作を行うと共に、シート状原稿の前部とシート状原稿の後部とが読取位置で上下正逆方向に擦れ違うことができるようにしたことを特徴とする画像読取装置。
【請求項２】
前記原稿反転搬送機構には、スイッチバック搬送手段を備えたことを特徴とする請求項１記載の画像読取装置。
【請求項３】
片面読取動作終了後、前記スイッチバック搬送手段により読取位置を通過させ、前記原稿反転搬送機構により反転した前記シート状原稿を読取位置へ再通過させ、前記シート原稿の先端が読取位置へ到達した時点より反対面読取開始動作を行うことを特徴とする請求項１記載の画像読取装置。
【請求項４】
（シート状原稿の長さ）＜（読取位置〜原稿反転搬送機構〜読取位置までの距離）であることを特徴とする請求項１ないし３のいずれか記載の画像読取装置。
【請求項５】
（シート状原稿の長さ）＜（スイッチバック搬送手段〜読取位置〜原稿反転搬送機構〜読取位置までの距離）であることを特徴とする請求項１ないし３のいずれか記載の画像読取装置。
【請求項６】
前記原稿反転搬送機構は、着脱可能なことを特徴とする請求項１記載の両面画像読取装置。
【請求項７】
片面のみの読取動作時は、前記原稿搬送手段に搬送された前記シート状原稿の先端が反転搬送手段を経て読取位置に到達した時点より表面読取動作を行い、前記原稿排出手段により機外へと排出することを特徴とする請求項１記載の画像読取装置。
【発明の詳細な説明】
【技術分野】
【０００１】
本発明は、特にシート給送手段に送り出されたシートの両面読取機能を備えた画像読取装置に関する。
【背景技術】
【０００２】
従来の画像読取装置には、両面読取り専用の原稿排出ループ経路を有しているものがある。（例えば、特許文献１参照。）。
【０００３】
また、両面読取りのとき、装置外へ原稿を一旦排出し、スイッチバックさせて読取りを行うものもある（例えば、特許文献２参照。）。
【０００４】
以下、図２４および図２５により、従来の両面画像読取装置について説明する。なお部品等の説明番号は、文献と同一としている。
【０００５】
特許文献１に示された原稿両面読取装置は、まず原稿表面を読取りガラス１６上を通過させて走査し、フラッパー８によってローラ９と１８で狭持される方向に原稿を搬送し、スタックガイド１２の方向に原稿を搬送する。
【０００６】
次に、原稿後端をローラ９と１８で狭持したままフラッパー８を切り替え、原稿を逆方向に搬送させてローラ６が原稿を搬送する。
【０００７】
次に、原稿は裏面を読取りガラス１６方向に向けながら移動し、画像の走査後は前述と異なり、フラッパー８がローラ９と１９で狭持される経路でスタックガイド１２方向に原稿を搬送する。
【０００８】
その間に導入ローラ２と搬送ローラ３が次の原稿を１枚引き出してローラ６方向に搬送する。
【０００９】
フラッパー８の位置が切り替わり、２枚目の原稿がローラ９と１８で狭持される方向へ、１枚目の原稿がＵ字形の排出経路を経て、原稿表面を下にしたままローラ２０から排出される。
【００１０】
この発明では、両面が読み終わった原稿を排出するための専用のＵターン経路を有していることが示されている。
【００１１】
次に、図２５において示す特許文献２では、まず、フラッパー１１が下がって原稿を開口部２０の方向へ搬送する。原稿後端をローラ１０と２２で狭持したまま、搬送方向を反転させ、ローラ５によって画像読取り部Ｘへ搬送され、原稿裏面が走査される。
【００１２】
フラッパー１２が原稿をローラ５に巻きつくように案内し、原稿は再度開口部２０方向に搬送される。
【００１３】
そのとき、原稿の後端がまだローラ１０に残っている場合があるので、ローラ２２を情報へ移動させてローラ１０に対して離間し、その間隙を原稿が通過して開口部２０へ向かう。
【００１４】
原稿先端がフラッパー１１を通過したら、ローラ２２を下方に移動させてローラ１０と共に狭持し、原稿を前述と同様に反転搬送させて原稿読取り部Ｘにて原稿表面を走査する。
【００１５】
フラッパー１２は原稿がローラ６方向に案内されるように移動し、原稿は表面を下にしたままローラ６から排出される。
【００１６】
したがって、この発明では、原稿を機外へ一旦排出する構成を備えている。
【特許文献１】特開２００１−２７８５５１号公報
【特許文献２】特開平９−３２８２６３号公報
【発明の開示】
【発明が解決しようとする課題】
【００１７】
しかしながら、従来の構成では、以下のような問題があった。
【００１８】
上記特許文献１、特許文献２ともに、両面読取りを行うための手段が他の手段、例えば、原稿分離手段や原稿排出手段と同じ装置内に組み込まれているため、片面読取り手段と両面読取り手段とを切り離すことが出来なかった。
【００１９】
すなわち、原稿片面読取装置に対して、ユーザーが後から両面読取り機構を追加して原稿両面読取装置に仕立て直すことができず、装置購入初期の段階で、片面単独の機能か、両面機能か、の選択に迫られ、ユーザーにとっては無駄な機能を含んだ高価な装置を購入してしまうこともあった。
【００２０】
こうした従来の装置では、最小限必要な機能からより充実した機能へと拡張可能な装置を安価に提供することができず、ユーザーの利用条件に応じた利便性を向上させることが困難であった。
【００２１】
本発明は叙上の点に着目して成されたもので、原稿送り精度を犠牲にすることなく、片面読取手段だけの装置としては勿論のこと、両面読取手段を着脱可能に組み込むことにより両面読取機能の拡大を可能とし、かつ、原稿の表裏を読取る画像読取装置において、モータの正転逆転切替えの動作を、原稿の先端が、原稿の表裏反転を行う搬送経路に設けられた原稿検知手段に到達する前に行うことにより、読取画像の先端余白、後端余白のばらつきの少ない画像読取装置を得ることを目的とする。
【課題を解決するための手段】
【００２２】
本発明は以下の構成を備えることにより、上記課題を解決した。
【００２３】
シート状原稿を正逆方向に送給する搬送手段と、原稿排出手段とからなる原稿搬送機構と、シート状原稿を反転させる反転搬送手段とからなる原稿反転搬送機構と、読取位置を有する読取手段とを備える画像読取装置であって、
逆方向に向うシート状原稿を、読取位置を介して通過させ、反転搬送手段により反転させたシート状原稿の先端が、読取位置へ到達した時点より読取位置で片面読取の開始動作を行うと共に、シート状原稿の前部とシート状原稿の後部とが読取位置で上下正逆方向に擦れ違うことができるようにしたことを特徴とする画像読取装置。
【発明の効果】
【００２４】
本発明によれば、装置を小型化することができ、容易に電子写真記録に合わせた両面読取動作を行うことができる。また両面機構の着脱が可能となり、装置のコストを引き上げることなくユーザーの使用状況に適した、しかも拡張性を持った装置を提供することができる。
【発明を実施するための最良の形態】
【００２５】
以下に本発明を実施するための最良の形態を、実施例に基づいて説明する。
【実施例１】
【００２６】
図１は、本発明の実施の形態に係る両面画像読取装置の斜視図、図２は、詳細断面図である。同図において、５０は画像読取装置、１は画像読取装置５０の上部に取り付けられた原稿給送装置である。２は原稿載置台、３は原稿排出台であり、ブック原稿読取時には原稿押え板となる。４ａ、４ｂは原稿載置台２に設けられ、原稿の搬送方向と直行する幅方向に移動して原稿載置台２に載置された原稿の両側端を揃えるスライダである。
【００２７】
また、１ａは原稿給送装置１の装置本体部であり、この装置本体１ａの内部には、図２に示すように、第１原稿搬送経路に相当する略Ｕ字状の原稿搬送路（以下、Ｕターン経路という）１４が設けられている。なお、このＵターン経路１４の上流端側に接続するように原稿載置台２と共にシート載置部を構成する下ガイドフレーム２１が設けられ、Ｕターン経路１４の下流端側に接続するように原稿排出台３が設けられている。
【００２８】
また、このＵターン経路１４の上流部には、原稿載置台２に積載された最上位の原稿Ｓに当接して、これを送り出す原稿給紙手段であるピックアップローラ１０と、ピックアップローラ１０により送り出された原稿Ｓを１枚ずつに分離する分離部を構成する分離パット１５及びこの分離パット１５に圧接する分離ローラ５と、原稿載置台２に積載された原稿Ｓの先端位置を規制する原稿ストッパ９と、原稿載置台上の原稿Ｓの有無を検知する原稿有無センサ６とが設けられている。
【００２９】
さらに、このＵターン経路１４の下流端側には、原稿Ｓを原稿排出台３に排出するための原稿排紙手段に相当する排出ローラ対１１ａ、１１ｂと、原稿Ｓの先端部及び後端部を検出する第一の原稿エッジセンサ８が設けられている。
【００３０】
なお、同図において、搬送ローラ７は、第１〜第４搬送コロ７ａ〜７ｄと共に原稿搬送手段を構成し、原稿Ｓを挟持しながら搬送する。１６は分離ローラ５の軸と同軸上に回転自在に設けられたピックアップアームであり、このピックアップアーム１６の回動端にピックアップローラ１０が回転自在に保持されている。本実施例では、１ローラによる搬送機構としたが、複数のローラ対からなる搬送機構でも同様の効果は得られる。
【００３１】
そして、この保持手段であるピックアップアーム１６により、下ガイドフレーム２１の上方に配置されたピックアップローラ１０は、原稿Ｓの接離可能に保持されるとともに、原稿を送り出す際は、このピックアップアーム１６の下方回動に伴って回転しながら原稿Ｓに当接するようになっている。
【００３２】
操作者が原稿Ｓを原稿載置台２に載置してセットするとき、画像面を上側にしてセットする。原稿Ｓの先端位置が原稿ストッパ９によって規制され、また原稿有無センサ６により原稿有りを検知する。なお、この原稿ストッパ９は、後述するようにピックアップアーム１６が下方回動すると、ピックアップアーム１６により押し下げられるようになっている。
【００３３】
１ｃはピックアップローラ１０及び搬送ローラ７により搬送された原稿Ｓを読取るための画像読取部であり、この画像読取部１ｃは読取ガラス１２と、読取ガラス１２の下方に設けられた密着型イメージセンサ１３（以下、ＣＩＳ：Ｃｏｎｔａｃｔ  Ｉｍａｇｅ  Ｓｅｎｓｏｒ）とを備えている。本実施例では、ＣＩＳを採用したがＣＣＤを用いた縮小光学系でも同様の効果は得られる。
【００３４】
ここで、このＣＩＳ１３は光源としての不図示のＬＥＤアレイから原稿Ｓの画像情報面に光を照射し、画像情報面で反射した反射光をセルフォックレンズ（商標）でセンサ素子に結像して画像情報を読取るものである。
【００３５】
以上の構成は、原稿が片面の場合に適用できる片面読取り構成を示すものである。
【００３６】
１ｂは着脱可能な本発明の特徴となる所の両面読取りを可能とする原稿反転ユニットである。図３に於いて図示する矢印方向に着脱可能な構成としている。着脱手段は例えば、挿込片と、この挿込片と係止できる挿込孔を装置本体１ａと原稿反転ユニット１ｂとの衝合面の好みの個処に設ければ良い（図示せず）。
【００３７】
３２は略Ｕ字形に構成した第２原稿搬送経路で、外周ガイド２７と内周ガイド２６で構成される。原稿反転手段に相当する反転ローラ２３および対向する対向コロ２３ａ、２３ｂによって原稿を搬送する。
【００３８】
また、２９は第二の原稿エッジセンサで、第２原稿搬送経路３２を通って読取位置に向かう原稿の先端を検出する。
【００３９】
３３は両面原稿搬送経路、３７は排紙フラッパーで図示しない駆動源により、原稿Ｓを第２原稿搬送経路３２方向に搬送するか、両面原稿搬送経路３３の方向に搬送するかを切り分ける。両面原稿搬送経路３３を通過した原稿Ｓは両面排紙ローラ対３５ａ、３５ｂによって両面排紙トレイ３６上に原稿を排出する。両面原稿搬送経路３３はＵ字型の構造とし、排出される原稿Ｓの表裏を反転させながら原稿Ｓを排出させることができる。即ち、原稿は表面を下向きにして両面排紙トレイ３６に連続積載されるため、ページ順を保ったまま全原稿を排出させることができる。
【００４０】
そして、操作者が不図示の操作部から読取開始を指示すると、まず不図示のモータが回転してピックアップアーム１６が下方回動し、これにより原稿ストッパ６が押し下げられる。この後、ピックアップローラ１０が原稿載置台２に積載された最上位の原稿Ｓに当接し、この最上位の原稿Ｓを送り出す。
【００４１】
次に、この最上位の原稿Ｓは押し下げられた原稿ストッパ９の上端面を通り、分離ローラ５及び分離パット１５によって他の原稿から分離され、Ｕターン経路１４の内部へと送り込まれる。さらに、このようにＵターン経路１４の内部へと送り込まれた原稿Ｓは、搬送ローラ７と対向するコロ７ａ〜７ｄによって、画像読取部１ｃにおいて、原稿Ｓの表面がＣＩＳ１３により画像情報が読取られる読取位置に向かって搬送される。
【００４２】
その間、第一の原稿エッジセンサ８により原稿Ｓの先端部が検知されると、ピックアップローラ１６が上方回動し、分離ローラ５の動力が切れて給紙動作が停止する。その位置から所定量搬送されたところで原稿読取部１ｃに達し、ＣＩＳ１３による画像情報の読取が開始される。また、この後、第一の原稿エッジセンサ８により原稿Ｓの後端部が検知されると、その位置から所定量搬送されたところで、ＣＩＳ１３による画像情報の読取を終了する。
【００４３】
次に本発明の特徴とする両面画像読取の一連動作について図４および図５ないし図１３を用いて詳細に説明する。
【００４４】
（Ｓ１．）  原稿有無センサ６が原稿Ｓの存在を検知する。
【００４５】
詳細図：図５
（Ｓ２．）  図示しないスタートキー押下後、図示しないモータが回転し、ピックアップローラ１０が回転しながらピックアップアーム１６が図示する矢印方向へと原稿Ｓに接触する。分離ローラ５も図示する矢印方向に回転し、１枚ずつに分離搬送する。搬送ローラ７、排出ローラ対１１ａ，１１ｂ、反転ローラ２３、両面排紙ローラ対３５ａ，３５ｂも同時にそれぞれ図示する矢印方向に回転を始める。
【００４６】
詳細図：図６
（Ｓ３．）  搬送ローラ７が原稿Ｓを第一の原稿エッジセンサ８の方向に搬送する。
【００４７】
詳細図：図７
（Ｓ４．）  第一の原稿エッジセンサ８が原稿の先端を検知した後、所定の時間経過後、ＣＩＳ１３が原稿の走査を開始し、所定の時間経過後、ピックアップローラ１０および分離ローラ５の回転が停止する。回転の接続および切断は図示しないクラッチを用いている。
【００４８】
（Ｓ５．）  原稿Ｓが排出ローラ対１１ａ，１１ｂにニップし、原稿Ｓの先端が反転センサ２２にて検知され、原稿Ｓの後端が第一の原稿エッジセンサ８を通過してＯＦＦになり、所    定の時間経過後にＣＩＳ１３の走査が終了する（原稿Ｓ表面読取終了）。
【００４９】
（Ｓ６．）  反転センサ２２は原稿Ｓの後端の通過後ＯＦＦになり、所定の時間経過後にモータが停止して全ての駆動が停止状態になる。
【００５０】
詳細図：図８
（Ｓ７．）  モータが逆回転し、搬送ローラ７、排出ローラ対１１ａ，１１ｂ、両面排紙ローラ対３５ａ，３５ｂも同時にそれぞれ図示する矢印方向に回転を始める。反転ローラ２３は図示しないクラッチにより、回転方     向を変えずに回転を始める。原稿Ｓは反転パスの原稿反転経路３２方向に進行し、Ｕターンしてバックアップコロ（対抗コロ）２３ｂの下方の開口部から画像読取部１ｃ方向に向かって再度進入する。このとき排紙フラッパー３７は図示する矢印方向に移動し、原稿Ｓの紙パスを制御している。
【００５１】
また原稿Ｓの長さが十分長い場合、原稿後端は読取ガラス１２と搬送ローラ７との間を移動している場合があり得るが、この場合は、画像読取の対象となる原稿は搬送ローラ７の下方で原稿自分自身とすれ違いながら搬送し、読取動作を行う。
【００５２】
本実施例では、下記数式を満足する構成としている。
【００５３】
（原稿Ｓの長さ）＜（読取位置〜反転ローラ２３〜読取位置）
こうすることで、反転経路内に原稿Ｓが全て収まり、機外へと放出することはない。また次にＳ８にて詳細説明するが、反転ローラ２３と搬送ローラ７の駆動源を一つにて構成することが可能となる。
【００５４】
しかしながら、別の駆動源を設けた場合は、下記数式を満足する構成も可能である。
【００５５】
（原稿Ｓの長さ）＜（対向コロ７ｄ〜紙パス３２〜反転ローラ２３〜読取位置）
こうすることでも反転経路内に原稿が全て収まり、機外へと放出することはない。
【００５６】
詳細図：図９、１０
（Ｓ８．）  第二の原稿エッジセンサ２９が原稿先端を検知する前に、モータは正転に切り替わり、搬送ローラ７、排出ローラ対１１ａ，１１ｂ、両面排紙ローラ対３５ａ，３５ｂががそれぞれ図示する矢印方向に回転を始める。またＣＩＳ１３によって原稿Ｓの裏面情報が走査される。
【００５７】
詳細図：図１１
（Ｓ９．）  第二の原稿エッジセンサ２９が原稿Ｓ後端の通過を検知した後、所定の時間経過後、原稿Ｓの走査を終了する（原稿Ｓ裏面読取終了）。
【００５８】
（Ｓ１０．）  原稿後端が反転センサ２２を通過して同センサがＯＦＦになった後、排紙フラッパ−３７は図示する矢印方向へと移動し、第二の原稿排出経路３３へと原稿Ｓの紙パスを制御する。モータは再度逆転を始めて搬送ローラ７、排出ローラ対１１ａ，１１ｂ、両面排紙ローラ対３５ａ，３５ｂがそれぞれ図示する矢印方向に回転する。
【００５９】
詳細図：図１２
（Ｓ１１．）  原稿Ｓは両面排紙ローラ３５ａ，３５ｂに挟持されて排紙トレイ３６上に原稿表面を下に向けながら支出される。
【００６０】
詳細図：図１３
（Ｓ１２．）  原稿Ｓの後端が反転センサ２２を通過し、該センサがＯＦＦになって所定時間経過後、原稿Ｓが排出されモータは再び正転する。搬送ローラ７、排出ローラ対１１ａ，１１ｂ、両面排紙ローラ対３５ａ，３５ｂが正転して、ピックアップローラ１０が下方回動して次の原稿Ｓを搬送する。（即ちＳ１と同一状況となる。）
【実施例２】
【００６１】
本発明の他の実施例を図１４ないし図２３について説明する。
【００６２】
なお同図における各構成等の説明番号は、実施例１の符号で示し、説明の詳細は省いてとしている。
【００６３】
本実施例は、実施例１とは異なるレイアウトに基づいて構成と動作説明を行う。
【００６４】
図１４は、本発明の実施の形態２に係る両面画像読取装置の斜視図、図１５は、詳細断面図である。同図において、５１は画像読取装置、１は画像読取装置５０の上部に取り付けられた原稿給送装置である。２は原稿載置台、３は原稿排出台であり、ブック原稿読取時には原稿押え板となる。４ａ、ｂは原稿載置台２に設けられ、原稿の搬送方向と直行する幅方向に移動して原稿載置台４に載置された原稿の両側端を揃えるスライダである。
【００６５】
１ｂは着脱可能な本発明の特徴となる所の原稿反転ユニットである。図１６に於いて図示する矢印方向に着脱可能な構成としている。
本発明の特徴となる所の、両面画像読取の一連動作について図１７〜２３を用いて詳細に説明する。
【００６６】
図１７．  図示しない原稿有無センサが原稿Ｓの存在を検知する。図示しないスタートキー押下後、図示しないモータが回転し、分離ローラ５が図示する矢印方向に回転して、原稿束最下面の原稿Ｓから１枚ずつに分離搬送する。搬送ローラ対７ａ，７ｂ、上流搬送ローラ対２３ｃ，２３ｄ、反転ローラ２３、下流搬送紙ローラ２対２３ｅ，２３ｆ、排出ローラ対１１ａ，１１ｂも同時にそれぞれ図示する矢印方向に回転を始める。
【００６７】
図１８．  搬送ローラ対７ａ，７ｂが原稿Ｓを読取白地１３ａと読取ガラス１２との間を通紙させ、排紙フラッパー３７が図示しない駆動原により移動し、反転ローラ２３側へと搬送する。
【００６８】
図１９．  第１の原稿エッジセンサ８が原稿Ｓの先端を検知した後、所定の時間経過後分離ローラ５の回転が停止する。原稿Ｓが反転してＣＩＳ１３上の読取位置に到達してから原稿Ｓの走査を開始する。
【００６９】
この時、原稿Ｓ後端は読取ガラス１２と読取白地１３ａとの間を移動している場合は、画像読取の対象となる原稿は搬送ローラ７の下方で原稿自分自身とすれ違いながら搬送し、読取動作を行う。
【００７０】
図２０．  原稿Ｓが排出ローラ対１１ａ，１１ｂにニップし、原稿Ｓの先端が反転センサ２２にて検知され、所定の時間経過後にＣＩＳ１３の走査が終了する（原稿Ｓ裏面読取終了）。
【００７１】
反転センサ２２は原稿Ｓの後端の通過後ＯＦＦになり、所定の時間経過後にモータが停止して全ての駆動が停止状態になる。
【００７２】
図２１．  排出ローラ対１１ａ，１１ｂは図示しないクラッチ機構によりが逆回転する（スイッチバック機構）。そして上流搬送ローラ対２３ｃ，２３ｄ、反転ローラ２３、下流搬送紙ローラ２対２３ｅ，２３ｆ、がそれぞれ図示する矢印方向に回転を始める。
【００７３】
本実施例では、下記数式を満足する構成としている。
【００７４】
（原稿Ｓの長さ）＜（排紙ローラ対１１〜読取位置〜反転ローラ２３〜読取位      置までの距離）
反転経路内に原稿が全て収まり、排出ローラ対１１ａ，１１ｂの逆回転動作中には、読取動作を行わないように構成している。
【００７５】
図２２．  第２の原稿エッジセンサ２９が原稿の先端を検知した後、所定の時間経過後ＣＩＳ１３上の読取位置に到達してから原稿Ｓの走査を開始する。
【００７６】
この時、原稿Ｓ先端は読取ガラス１２と読取白地１３ａとの間を移動している場合は、画像読取の対象となる原稿は搬送ローラ対７ａ，７ｂの下方で原稿自分自身とすれ違いながら搬送し、読取動作を行う（原稿Ｓ表面読取）。
【００７７】
図２３．  原稿Ｓは排出ローラ対１１ａ，１１ｂに挟持されて排紙トレイ３上に原稿表面を下に向けながら支出される（ページ順排紙）。
【００７８】
以上の第２実施例では、大径の搬送ローラを用いず、小径の搬送ローラを用いているので小型化でき、さらに、片面読取りのトレイを両面読取りのトレイと兼用させているので、さらに全体を小型コンパクト化ができる。また、反転ローラ２３を備える構成体も着脱分離できるので用途において、片面読取り用としても安価に提供できる。
【図面の簡単な説明】
【００７９】
【図１】本発明の両面画像読取装置の一実施例を示す斜視図である。
【図２】図１の要部の拡大断面図である。
【図３】本発明の図１を分割した状態の斜視図である。
【図４】本発明の両面画像読取装置の両面読取動作シーケンス図である。
【図５】図４を補足する詳細動作図である。
【図６】図４を補足する詳細動作図である。
【図７】図４を補足する詳細動作図である。
【図８】図４を補足する詳細動作図である。
【図９】図４を補足する詳細動作図である。
【図１０】図４を補足する詳細動作図である。
【図１１】図４を補足する詳細動作図である。
【図１２】図４を補足する詳細動作図である。
【図１３】図４を補足する詳細動作図である。
【図１４】本発明第二実施例の両面画像読取装置の斜視図である。
【図１５】図１４の要部の拡大断面説明図
【図１６】本発明の図１４に示す第二実施例の両面画像読取装置の分割した状態の斜視図である。
【図１７】本発明第二実施例の両面画像読取装置の詳細動作図である。
【図１８】本発明第二実施例の両面画像読取装置の詳細動作図である。
【図１９】本発明第二実施例の両面画像読取装置の詳細動作図である。
【図２０】本発明第二実施例の両面画像読取装置の詳細動作図である。
【図２１】本発明第二実施例の両面画像読取装置の詳細動作図である。
【図２２】本発明第二実施例の両面画像読取装置の詳細動作図である。
【図２３】本発明第二実施例の両面画像読取装置の詳細動作図である。
【図２４】従来例を示す図である。
【図２５】従来例を示す図である。
【符号の説明】
【００８０】
１    原稿給送装置
１ａ    原稿給送装置本体
１ｂ    原稿反転ユニット（原稿反転搬送手段に相当）（スイッチバック搬送手段を含む）
１ｃ    画像読取部
２    原稿載置台
３    原稿排出台
４ａ、４ｂ    スライダ
５    分離ローラ
６    原稿有無センサ
７    搬送ローラ（原稿搬送手段に相当）
８    原稿エッジセンサ
９    原稿ストッパ
１０    ピックアップローラ
１１    片面排出ローラ
１２    読取ガラス（画像読取部に相当）
１３    密着型イメージセンサ（画像読取部に相当）
１３ａ    読取白地
１５    分離パット
１６    ピックアップアーム
２１    下ガイドフレーム
２２    反転センサ
２３    反転ローラ
２６、２７    内外周ガイド
２９    第二原稿エッジセンサ
３５    両面排紙ローラ
３６    排紙トレイ
Ｓ    原稿
【図１】
2006180257.tif 000003
【図２】
2006180257.tif 000004
【図３】
2006180257.tif 000005
【図４】
2006180257.tif 000006
【図５】
2006180257.tif 000007
【図６】
2006180257.tif 000008
【図７】
2006180257.tif 000009
【図８】
2006180257.tif 000010
【図９】
2006180257.tif 000011
【図１０】
2006180257.tif 000012
【図１１】
2006180257.tif 000013
【図１２】
2006180257.tif 000014
【図１３】
2006180257.tif 000015
【図１４】
2006180257.tif 000016
【図１５】
2006180257.tif 000017
【図１６】
2006180257.tif 000018
【図１７】
2006180257.tif 000019
【図１８】
2006180257.tif 000020
【図１９】
2006180257.tif 000021
【図２０】
2006180257.tif 000022
【図２１】
2006180257.tif 000023
【図２２】
2006180257.tif 000024
【図２３】
2006180257.tif 000025
【図２４】
2006180257.tif 000026
【図２５】
2006180257.tif 000027